(57)【特許請求の範囲】
【請求項１】
ベース底面からリード線の導出した水晶振動子と、前記水晶振動子の底面に取着された表面実装用台座とからなる表面実装用水晶振動子において、
前記表面実装用台座は長軸方向にスリットを有する絶縁体と、前記スリット内を短軸方向に横断して前記表面実装用台座の外周に露出した一対の端子板とを備え、前記一対の端子板には前記スリット内の中央部にて、前記ベース底面側を開放面側とするとともに先端の貫通孔自体は前記リード線の径より大きいスリバチ状貫通孔が形成され、
前記水晶振動子のリード線は、前記スリバチ状貫通孔を挿通するとともに、前記スリバチ状貫通孔の外表面側から半田が塗布されて内周面に浸透させ、前記スリバチ状貫通孔の外表面及び内周面の半田によって、前記スリバチ状貫通孔の表裏面側から接合されたことを特徴とする表面実装用水晶振動子。
【発明の詳細な説明】
【０００１】
【産業上の利用分野】
本発明は、表面実装用台座（以下単に台座とする）を設けた表面実装用水晶振動子（台座付振動子とする）を利用分野とし、特に台座と水晶振動子との固着強度を充分にした台座付振動子に関する。
【０００２】
【発明の背景】
台座付振動子は、特に気密性に優れた抵抗溶接等の封止による、従来の水晶振動子を使用することから、その信頼性が高く、また、簡便に製作できることから、その需要が高い。しかし、その反面、本来振動子としては、高さ寸法等を大きくする、等の問題点もある。
【０００３】
【従来技術】
第２図乃至第５図は一従来例を説明する図で、第２図は台座付振動子の正面図、第３図は水晶振動子の図、第４図（ａ）は台座の図、同図（ｂ）は端子板の図、第５図は台座付振動子の部分的な拡大側断面図である。
【０００４】
台座付振動子は水晶振動子１と台座２とからなる（第２図）。水晶振動子１は、一対のリード線３が導出した金属ベース４上に水晶片（未図示）を保持し、カバー５を被せてなる（第３図）。台座２は、樹脂等からなり長軸方向にスリット６を有した絶縁体７と、平板状の一対の端子板８からなる（第４図）。
【０００５】
各端子板８は絶縁体７の短軸方向を貫通してスリット６内を横断し、側面及び底面に露出する、いわばバンド状に形成される。そして、スリット６内の端子板８の中央部分に貫通孔９を有する。このようなものでは、水晶振動子１のリード線３を、台座２の貫通孔９に挿通して、表面側から半田１０を塗布して固着する（第５図）。そして、これにより、水晶振動子１の底面に台座２が取着される。
【０００６】
【従来技術の問題点】
しかしながら、このような台座付振動子では、ときとして、台座２から水晶振動子１が離脱する問題があった。すなわち、リード線３と端子板８の半田による固着強度が小さく、耐衝撃性に劣る問題があった。なお、台座２の高さを極力小さくするため、リード線３の端子板８からの突出寸法も短くなり、半田１０との接合面積が小さくなる。また、半田自体は耐熱性の問題から高融点半田（ここでは２８０℃以上）が使用されるため、半田自身の強度も小さくなる。このようなことから、充分な固着強度を得られないと推察される。
【０００７】
【発明の目的】
本発明は、リード線と端子板との固着強度を増し、耐衝撃性を向上して、離脱防止を確実にする、台座付振動子を提供することを目的とする。
【０００８】
【解決手段】
本発明は、ベース底面からリード線の導出した水晶振動子と、前記水晶振動子の底面に取着された表面実装用台座とからなる表面実装用水晶振動子において、
前記表面実装用台座は長軸方向にスリットを有する絶縁体と、前記スリット内を短軸方向に横断して前記表面実装用台座の外周に露出した一対の端子板とを備え、前記一対の端子板には前記スリット内の中央部にて、前記ベース底面側を開放面側とするとともに先端の貫通孔自体は前記リード線の径より大きいスリバチ状貫通孔が形成され、前記水晶振動子のリード線は、前記スリバチ状貫通孔を挿通するとともに、前記スリバチ状貫通孔の外表面側から半田を塗布されて、前記スリバチ状貫通孔の表裏面側から前記半田によって接合された構成とする。以下、本発明の一実施例を説明する。
【０００９】
【実施例】
第１図は本発明の一実施例を説明する、台座付振動子の部分的な拡大側断面図である。なお、前従来例図と同一部分には同番号を付与し、その説明は省略する。
【００１０】
台座付振動子は、前述したように、水晶振動子１の底面に台座２を取着してなる。そして、この実施例では、従来例で示した絶縁体７のスリット６内を横断した端子板８の貫通孔９（前第４図参照）を、スリバチ状貫通孔１１に形成する。但し、スリバチ状貫通孔１１の開放面側をリード線３（ベース４面）側とする。そして、先端の貫通孔自体は、リード線３の径より若干大きくする。このようにした上で、リード線３をスリバチ状貫通孔１１に挿通させ、半田１０を外表面に塗布して溶融させる。
【００１１】
このようなものでは、溶融した半田１０は、リード線３とスリバチ状貫通孔１１との間隙から内部に浸透する。そして、リード線３とスリバチ状貫通孔１１の外表面は勿論、リード線３とスリバチ状貫通孔１１の内周面の間にも半田１０が充填されて固化する。内周面側では表面張力により、ほぼ三角形状になる。但し、このような状態になるように、半田量を充分にする。
【００１２】
したがって、従来に比較し、リード線３とスリバチ状貫通孔１１の内周面との対向面積が増加するので、固着強度を高めることができる。このようなことから、衝撃等による水晶振動子１と台座２との離脱を確実に防止できる。また、スリバチ状貫通孔１１としたので、リード線３の挿通時にはガイド孔としても作用し、好都合である。
【００１３】
上記実施例では、スリット６は一条としたが、金属端子板８の間に連結部を設けて、分離してもよい。また、リード線３は２本としたが、例えばＭＣＦ等のように３本以上であっても有効である。
【００１４】
【発明の効果】
本発明は、ベース底面からリード線の導出した水晶振動子と、前記水晶振動子の底面に取着された表面実装用台座とからなる表面実装用水晶振動子において、
上記表面実装用台座は長軸方向にスリットを有する絶縁体と、前記スリット内を短軸方向に横断して前記表面実装用台座の外周に露出した一対の端子板とを備え、前記一対の端子板には前記スリット内の中央部にて、前記ベース底面側を開放面側とするとともに先端の貫通孔自体は前記リード線の径より大きいスリバチ状貫通孔が形成され、上記水晶振動子のリード線は、前記スリバチ状貫通孔を挿通するとともに、前記スリバチ状貫通孔の外表面側から半田を塗布されて、前記スリバチ状貫通孔の表裏面側から前記半田によって接合された構成とするので、リード線と端子板との固着強度を増し、耐衝撃性を向上して、離脱防止を確実にする台座付振動子を提供できる。
【図面の簡単な説明】
【図１】本発明の一実施例を説明する台座付振動子の部分的な拡大側断面図である。
【図２】従来例を説明する台座付振動子の正面図である。
【図３】従来例を説明する水晶振動子の図である。
【図４】従来例を説明する図で、同図（ａ）は台座の図、同図（ｂ）は端子板の図である。
【図５】従来例を説明する台座付振動子の部分的な拡大側断面図である。
【符号の説明】
１  水晶振動子、２  台座、３  リード線、４  ベース、５  カバー、６  スリット、７  絶縁体、８  端子板、９  貫通孔、１０  半田、１１  スリバチ状貫通孔．
【図１】
0003633971.tif 000002
【図２】
0003633971.tif 000003
【図３】
0003633971.tif 000004
【図４】
0003633971.tif 000005
【図５】
0003633971.tif 000006